(57)【要約】【課題】放射器から放射される電波の放射方向の変更または調整を簡便な機構により実現することである。【解決手段】電波を出入射する放射器を取り囲む、電波を透過させる電波透過部材と、前記電波透過部材に設けられ、前記放射器から放射される電波を反射させる状態と透過させる状態とを電子的に制御可能な電波シートと、を備える。【選択図】図１
2020202463.tif 000002
【特許請求の範囲】
【請求項１】
電波を放射する放射器を取り囲む、電波を透過させる電波透過部材と、
前記電波透過部材に設けられ、前記放射器から放射される電波を反射させる状態を電子的に制御可能な電波シートと、
を備えることを特徴とする電波反射部材。
【請求項２】
前記電波透過部材は、前記放射器を覆う、略半球形状を呈する
ことを特徴とする請求項１に記載の電波反射部材。
【請求項３】
前記電波シートは、
前記電波を反射させる状態と透過させる状態を電子的に制御可能であり、
前記放射器が電波を放射する方向において前記電波を反射させるように制御され、前記放射する方向と反対側の方向において前記電波を透過させるように制御される
ことを特徴とする請求項１または請求項２のいずれか一項に記載の電波反射部材。
【請求項４】
前記電波シートは、複数の前記放射器のそれぞれに対応するように制御される
ことを特徴とする請求項３に記載の電波反射部材。
【請求項５】
前記電波シートは、前記電波を反射させる領域の広狭を制御される
ことを特徴とする請求項３に記載の電波反射部材。
【請求項６】
前記電波シートは、反射させる領域を変えることにより、電波のビーム形状またはビーム幅を制御する
ことを特徴とする請求項３に記載の電波反射部材。
【請求項７】
前記電波シートは、前記電波透過部材の少なくとも一方の面に設けられる
ことを特徴とする請求項１乃至請求項６のいずれか一項に記載の電波反射部材。
【請求項８】
前記電波シートは、前記電波透過部材の内面に設けられる
ことを特徴とする請求項１乃至請求項７のいずれか一項に記載の電波反射部材。
【請求項９】
請求項１乃至請求項８のいずれか一項に記載の電波反射部材と、
前記放射器が電波を放射する方向に応じて、前記電波シートにおける電波を反射させる状態と透過させる状態とを制御する制御装置と、
を備えることを特徴とする電波反射システム。
【発明の詳細な説明】
【技術分野】
【０００１】
本開示は、電波反射部材および電波反射システムに関する。
【背景技術】
【０００２】
放射器が開口部から放射する電波を反射する副反射鏡と、副反射鏡が反射する電波を反射する主反射鏡とを備える反射鏡アンテナ装置が知られている（特許文献１を参照）。
【先行技術文献】
【特許文献】
【０００３】
【特許文献１】ＷＯ２００５／０１８０４９号公報
【発明の概要】
【発明が解決しようとする課題】
【０００４】
特許文献１に記載の反射鏡アンテナ装置では、副反射鏡と主反射鏡の形状につき、主反射鏡の所定の領域における電力、アンテナの放射パターンが所定の特性を示すように設計されている。これにより、不要な電磁波の影響を抑え、アンテナの性能の向上を図ることができる。
【０００５】
しかしながら、特許文献１の反射鏡アンテナ装置では、放射器から放射される電波の放射方向を変更する場合、副反射鏡および主反射鏡を、放射器とともに移動させる必要がある。副反射鏡および主反射鏡を移動させるためには駆動機構を要する。該駆動機構は副反射鏡および主反射鏡の規模に応じて決定され、大型の反射鏡に対する駆動機構は著しく大きくなる虞があった。
【０００６】
本発明の目的は、上記のような問題に鑑みてなされたものであり、放射器から放射される電波の放射方向の変更または調整を簡便な機構により実現することができる電波反射部材および電波反射システムを提供することにある。
【課題を解決するための手段】
【０００７】
本開示の一実施形態に係る電波反射部材は、電波を放射する放射器を取り囲む、電波を透過させる電波透過部材と、前記電波透過部材に設けられ、前記放射器から放射される電波を反射させる状態を電子的に制御可能な電波シートと、を備えることを要旨とする。
【０００８】
本開示の一実施形態に係る電波反射システムは、電波反射部材と、前記放射器が電波を放射する方向に応じて、前記電波シートにおける電波を反射させる状態と透過させる状態とを制御する制御装置と、を備えることを要旨とする。
【発明の効果】
【０００９】
本発明によれば、放射器から放射される電波の放射方向の変更または調整を簡便な機構により実現することができる。
【図面の簡単な説明】
【００１０】
【図１】本実施形態における電波反射システムの構成例を示す図である。
【図２】本実施形態における電波反射システムを＋Ｙ方向から見た断面図である。
【図３】本実施形態における電波シートの構成例を示す図である。
【図４】本実施形態における電波シートが電波を反射する様子の一例を示す図である。
【図５】本実施形態における反射制御装置の機能構成例を示す図である。
【図６】本実施形態における反射制御装置の設定情報テーブルの一例を示す図である。
【図７】本実施形態における反射制御装置のハードウェア構成例を示す図である。
【図８】本実施形態における電波反射システムの制御フローの一例を示す図である。
【図９】他の実施形態における電波反射システムが複数の放射器で構成される一例を示す図である。
【図１０】一般的なアンテナ装置の構成例を示す図である。
【発明を実施するための形態】
【００１１】
以下、図面を参照して、本発明の一実施形態における電波反射システム１について詳細に説明する。ただし、以下の実施形態はあくまでも例示であり、以下に明示しない種々の変形や技術の適用を排除する意図はない。すなわち、本発明は、その趣旨を逸脱しない範囲において種々変形し、または各実施例を組み合わせるなどにより実施することができる。また、以下の図面において、同一または類似の部分には同一または類似の符号を付して表している。以下、水平方向をＸ方向とし、Ｘ方向と直交する放射器２０の高さ方向をＹ方向とし、Ｘ方向とＹ方向にそれぞれ直交する方向をＺ方向として説明する。
【００１２】
＝＝構成＝＝
まず、本実施形態における電波反射システム１の理解を助けるために、一般的なアンテナ装置１００について説明する。図１０は、一般的なアンテナ装置１００の構成例を示す図である。アンテナ装置１００は、例えば所定の方向に所定の周波数帯の電波を放射する装置である。図１０に示すように、アンテナ装置１００は、例えば、駆動機構１１０、放射器１２０、反射鏡１３０、レドーム１４０を含む。駆動機構１１０は、反射鏡１３０における電波の反射方向を変更するために、反射鏡１３０を所定の方向に移動させる装置である。放射器１２０は、電波伝搬部材に接続され、電波を放射または入射するための開口を有する部材である。電波伝搬部材とは、同軸ケーブルや導波管などであり、無線装置（不図示）から放射器１２０に電波を伝搬する部材である。反射鏡１３０は、放射器１２０から出射される電波を受けて、該電波を所定の方向に反射する部材である。反射鏡１３０は例えば金属材料を含んで形成されている。レドーム１４０は、放射器１２０を外的作用から保護するために、放射器１２０を覆う部材である。
【００１３】
本実施形態における電波反射システム１は、一般的なアンテナ装置１００における反射鏡１３０およびレドーム１４０に替えて電波反射部材３０を適用し、電波反射部材３０を制御する反射制御装置５０を備えるシステムである。以下、本実施形態における電波反射システム１について説明する。
【００１４】
図１は、本実施形態における電波反射システム１の構成例を示す図である。図１に示すように、電波反射システム１は、駆動機構１０、放射器２０、電波反射部材３０、電源系統４０、反射制御装置５０を含む。なお、図１には、電波反射システム１を陸上用であるかのように示しているが、海上用、航空機、人工衛星などにも適用できるものとし、その適用範囲が限定されるものではない。
【００１５】
駆動機構１０は、放射器２０を所定の方向に動作（回転など）させる装置である。駆動機構１０には放射器２０が動作可能に接続されていればよい。放射器２０は、上述したアンテナ装置１００の放射器１２０と同様であるためその説明を省略する。
【００１６】
電波反射部材３０は、放射器２０が電波を放射する方向に応じて、電波を反射させる状態と透過させる状態とを電子的に制御される部材である。すなわち、電波反射部材３０は反射鏡の役割を備える。また、電波反射部材３０は、例えば、放射器２０を覆うように形成することで、放射器２０を外的作用から保護するレドームの役割も備える。電波反射部材３０は、電波透過部材３１、電波シート３２を含む。
【００１７】
電波透過部材３１は、電波反射部材３０の外形を形成する部材である。電波透過部材３１は、電波の透過率の高い材料で形成され、例えばグラスファイバーやテフロン（登録商標）などである。電波透過部材３１は、放射器２０を覆うように設けられ略半球形状を呈する。これにより、雨、風、雪、砂、氷、太陽光線、動物などの外的作用から放射器２０を保護することができる。さらに、電波透過部材３１により、セキュリティの観点から放射器２０などを外観から確認できないようにすること、安全面の観点から可動部分と人との接触を防止することも可能となる。
【００１８】
なお、電波透過部材３１は、略半球形状を呈していることに限定されない。例えば、放射器２０を連続的に取り囲むように形成され、半球形状の頭頂部が開口した形状であってもよい。これにより製造コストを縮減できる。また、放射器２０の周囲を取り囲む、電波透過部材３１における領域は、該領域の内面に貼設する電波シート３２で反射される電波の焦点が放射器２０になるように、回転放物面を形成していることが望ましい。これにより、電波シート３２を電波透過部材３１に貼設するだけで、放射器２０に電波の焦点が形成されるため、電波シート３２の形状設計コストを軽減できる。また、電波透過部材３１は放射器２０を断続的に取り囲むように形成されていてもよい。これにより、電波透過部材３１の材料コストを軽減できる。なお、電波透過部材３１の大きさは、例えば放射器２０と電波シート３２との位置関係や電波の周波数帯域に応じて決定される。
【００１９】
電波シート３２は、電波を透過させる電波透過状態と、電波を反射させる電波反射状態とを電子的に制御される部材である。電波シート３２は、電波の焦点を放射器２０に形成するように、電波透過部材３１の内面に沿って貼設される。なお、電波の焦点には、おおよそ焦点となることも含まれる。具体的に述べると、電波シート３２が半球形状の電波透過部材３１の内面に貼設された場合、電波反射部材３０に入射するすべての電波が放射器２０に集約されない状況も想定できるが、該焦点には、このような電波の集約状況も含まれる。電波シート３２は、逆バイアス電圧で制御される。このため小さい消費電力でそれぞれの状態に移行できる。なお、電波透過部材３１に貼設されることとして説明するが、設置方法は限定されない
【００２０】
まず、図２を参照して、電波シート３２を電波透過部材３１に貼設した状態につき説明する。図２は、電波反射システム１を＋Ｙ方向から見た断面図である。図２に示すように、電波シート３２は、電波透過部材３１における例えば四つに区切られたそれぞれの領域ごとに、異なる電波シート３２を貼設する。この場合においては、放射器２０の開口と対向する電波シート３２１を電波反射状態とし、電波シート３２１と対向する電波シート３２３を電波透過状態とする。これにより、放射器２０の開口から放射された電波は、電波シート３２１で反射され、電波シート３２３を通じて電波反射システム１の外部に向けて直線状に放射される。
【００２１】
次に、図３を参照して、電波シート３２の構造の一例について説明する。図３は、本実施形態における電波シート３２の構成例を示す図である。図３に示すように、電波シート３２は、基板３２ａ、導線３２ｂ、可変容量部品３２ｃ、インピーダンス部品３２ｄを含む。電波シート３２は所謂電波シャッターである。
【００２２】
基板３２ａは、例えばフレキシブルな樹脂材料で形成されている。これにより電波シート３２を電波透過部材３１の湾曲する内面に沿って貼設することができる。
【００２３】
導線３２ｂは、例えば銅線である。導線３２ｂの長さは、放射器２０から放射（または入射）する電波の波長の１／４（０．２５λ）である。導線３２ｂは、基板３２ａ上に配置され、一方の方向において一の導線３２ｂの一方の端部が他の導線３２ｂの他方の端部と隣り合うように設けられる。また、一方の方向と直交する他方の方向において電波の波長の１／４（０．２５λ）の間を隔てて、複数の導線３２ｂが平行して設けられる。つまり導線３２ｂは基板３２ａ上で格子状に設けられる。
【００２４】
可変容量部品３２ｃは、例えば可変容量ダイオードを含む部品である。可変容量部品３２ｃは、一方の方向において、一の導線３２ｂと、一の導線３２ｂと隣り合う他の導線３２ｂとの間に設けられ、それぞれの導線３２ｂと電気的に接続されている。可変容量部品３２ｃに逆バイアス電圧を印加すると、可変容量部品３２ｃは短絡状態となる。これにより、導線３２ｂの長さが実質的に波長の１／２（０．５λ）となるため、電波が共振を起こし、電波シート３２を電波反射状態に移行できる。電波シート３２の作動原理については後述する。
【００２５】
インピーダンス部品３２ｄは、例えば高インピーダンスを有する抵抗素子である。インピーダンス部品３２ｄは、一方の方向において、一の導線３２ｂと、一の導線３２ｂと隣り合う他の導線３２ｂとの間に、可変容量部品３２ｃと交互に設けられ、それぞれの導線３２ｂと電気的に接続されている。
【００２６】
なお、上述した電波シート３２は一例を示すものである。電波シート３２は、逆バイアス電圧を所定の部分に印加して電波反射状態になり、逆バイアス電圧を開放して電波透過状態になるものであればよい。
【００２７】
電源系統４０は、逆バイアス電圧を可変容量部品３２ｃに印加する。電源系統４０は、電源線４１、直流電源装置４２を含む。電源線４１は、例えば、導線３２ｂと電気的に接続され、基板３２ａ上において、導線３２ｂにおける一方の方向と直交する他方の方向に沿って設けられる。直流電源装置４２は、電源線４１を介して電波シート３２と電気的に接続され、後述の電源制御信号出力部５４から出力される電源制御信号に基づいて、逆バイアス電圧を所定の電波シート３２（可変容量部品３２ｃ）に印加する。これにより電波シート３２を電波反射状態にできる。
【００２８】
次に、上記の構成に基づく、電波シート３２の作動原理について説明する。逆バイアス電圧を電波シート３２に印加し、可変容量部品３２ｃを短絡状態にして、電波シート３２を電波反射状態にする。電波反射状態では、インピーダンス部品３２ｄで挟まれた導線３２ｂの長さが電波の波長の１／２（０．２５λ×２）になる。これにより、導線３２ｂで電波が共振するため、電波を反射する。一方、逆バイアス電圧を電波シート３２に印加していないと、可変容量部品３２ｃが略開放した状態になるため、導線３２ｂに電流が流れにくくなり、電波を透過する。
【００２９】
上述したように、電波反射部材３０に電波シート３２を組み合わせることにより、例えば、レドームの機能を有する電波透過部材３１をアクティブなパラボラアンテナの反射鏡の代替えとして使用することが可能となる。また、パラボラアンテナの反射鏡を排除できるため、その支持機構等の構成要素を低減できるとともに、駆動機構を縮小でき、迅速な電波伝搬経路の変更が可能となる。
【００３０】
図４乃至図７を参照して、反射制御装置５０について説明する。反射制御装置５０は、直流電源装置４２を制御することで電波シート３２を制御する装置である。
【００３１】
まず、図４を参照して、反射制御装置５０による電波シート３２に対する制御について説明する。図４は、本実施形態における電波シート３２が電波を反射する様子の一例を示す図である。図４（ａ）では、−Ｘ方向に向く放射器２０の開口から放射された電波を、電波シート３２１で反射させて＋Ｘ方向に放射する様子を示す。この場合、反射制御装置５０は、逆バイアス電圧を電波シート３２１に印加して電波シート３２１を電波反射状態（反射鏡）とする。一方、逆バイアス電圧を電波シート３２３に印加せず、電波シート３２３を電波透過状態（電波に対して透明な状態）とする。図４（ｂ）では、同様に、電波シート３２２を電波反射状態とし、電波シート３２４を電波透過状態とする。
【００３２】
次に、図５および図６を参照して、反射制御装置５０の機能構成について説明する。図５は、反射制御装置５０の機能構成例を示す図である。図５に示すように、電波シート３２を制御するための反射制御装置５０は、設定情報テーブル５１、放射器情報取得部５２、電波シート選定部５３、電源制御信号出力部５４の機能を有する。
【００３３】
設定情報テーブル５１は、電波シート３２を制御するための設定情報を格納したテーブルである。図６は、設定情報テーブル５１の一例を示す図である。図６に示すように、設定情報テーブル５１のデータ構造は、例えば、放射器ＩＤなどの適宜な項目を主キーとして、方位角、仰角、電波シートＩＤといったデータから成るレコードの集合体である。放射器ＩＤとは、放射器２０を識別する識別符号である。これにより、複数の放射器２０を有する電波反射システム１につき、所定の放射器２０における設定情報を識別できる。方位角とは、例えば真北から時計回りの角度をいう。仰角とは、例えば水平面（ＸＺ平面）から上向き（＋Ｙ方向）の角度をいう。電波シートＩＤとは、電波シート３２を識別する識別符号である。電波シートＩＤの項目には、電波反射状態とする電波シート３２の電波シートＩＤが格納される。具体的には、設定情報テーブル５１において、放射器ＩＤ「００１」の放射器２０が方位角「１．５」で仰角「０」を示す場合、電波反射状態とする電波シート３２は「００１」「００２」「００３」であることが示されている。
【００３４】
放射器情報取得部５２は、例えば操作者から入力される電波伝搬の相手方に関する相手方情報に基づき、所定のテーブル（不図示）を参照して、該相手方情報に対応する、放射器２０の方位角および仰角に関する放射器情報を取得する。なお、該所定のテーブルは、反射制御装置５０の記憶装置５０３に格納されていてもよいし、外部のハードウェアに格納されていてもよい。
【００３５】
電波シート選定部５３は、放射器情報に基づき設定情報テーブル５１を参照して、電波反射状態にする電波シート３２を選定する。
【００３６】
電源制御信号出力部５４は、電波シート選定部５３で選定された電波シート３２に逆バイアス電圧を印加するように、直流電源装置４２を制御する電源制御信号を出力する。
【００３７】
次に、上記機能を実現するための反射制御装置５０におけるハードウェア構成について説明する。
【００３８】
図７は、コンピュータのハードウェア構成の一例を示す図である。図７に示すように、コンピュータ５００は、プロセッサ５０１と、メモリ５０２と、記憶装置５０３と、入力Ｉ／Ｆ部５０４と、データＩ／Ｆ部５０５と、通信Ｉ／Ｆ部５０６、および表示装置５０７を含む。ここで、反射制御装置５０が有する機能は、図７に示すプロセッサ５０１が、記憶装置５０３に記憶されたコンピュータプログラムを読み込み、実行し、反射制御装置５０の各構成を制御すること等により実現される。
【００３９】
プロセッサ５０１は、メモリ５０２に記憶されているプログラムを実行することによりコンピュータ５００における各種の処理を制御する制御部である。
【００４０】
メモリ５０２は、例えばＲＡＭ（Ｒａｎｄｏｍ  Ａｃｃｅｓｓ  Ｍｅｍｏｒｙ）等の記憶媒体である。メモリ５０２は、プロセッサ５０１によって実行されるプログラムのプログラムコードや、プログラムの実行時に必要となるデータを一時的に記憶する。
【００４１】
記憶装置５０３は、例えばハードディスクドライブ（ＨＤＤ）やフラッシュメモリ等の不揮発性の記憶媒体である。記憶装置５０３は、オペレーティングシステムや、上記各構成を実現するための各種プログラムを記憶する。
【００４２】
入力Ｉ／Ｆ部５０４は、ユーザからの入力を受け付けるためのデバイスである。入力Ｉ／Ｆ部５０４の具体例としては、キーボードやマウス、タッチパネル、各種センサ、ウェアラブル・デバイス等が挙げられる。入力Ｉ／Ｆ部５０４は、例えばＵＳＢ（Ｕｎｉｖｅｒｓａｌ  Ｓｅｒｉａｌ  Ｂｕｓ）等のインタフェースを介してコンピュータ５００に接続されても良い。
【００４３】
データＩ／Ｆ部５０５は、コンピュータ５００の外部からデータを入力するためのデバイスである。データＩ／Ｆ部５０５の具体例としては、各種記憶媒体に記憶されているデータを読み取るためのドライブ装置等がある。データＩ／Ｆ部５０５は、コンピュータ５００の外部に設けられることも考えられる。その場合、データＩ／Ｆ部５０５は、例えばＵＳＢ等のインタフェースを介してコンピュータ５００へと接続される。
【００４４】
通信Ｉ／Ｆ部５０６は、コンピュータ５００の外部の装置と有線または無線により、インターネットＮを介したデータ通信を行うためのデバイスである。通信Ｉ／Ｆ部５０６は、コンピュータ５００の外部に設けられることも考えられる。その場合、通信Ｉ／Ｆ部５０６は、例えばＵＳＢ等のインタフェースを介してコンピュータ５００に接続される。
【００４５】
表示装置５０７は、各種情報を表示するためのデバイスである。表示装置５０７の具体例としては、例えば液晶ディスプレイや有機ＥＬ（Ｅｌｅｃｔｒｏ−Ｌｕｍｉｎｅｓｃｅｎｃｅ）ディスプレイ、ウェアラブル・デバイスのディスプレイ等が挙げられる。表示装置５０７は、コンピュータ５００の外部に設けられても良い。その場合、表示装置５０７は、例えばディスプレイケーブル等を介してコンピュータ５００に接続される。また、入力Ｉ／Ｆ部５０４としてタッチパネルが採用される場合には、表示装置５０７は、入力Ｉ／Ｆ部５０４と一体化して構成することが可能である。
【００４６】
＝＝動作＝＝
図８を参照して、電波反射システム１の制御処理について説明する。図８は、反射制御装置５０の制御フローの一例を示す図である。
【００４７】
まず、操作者は、反射制御装置５０の入力Ｉ／Ｆ部５０４を介して、電波を放射（または入射）する相手方に関する情報を入力する（Ｓ１０）。
【００４８】
反射制御装置５０は、不図示のテーブルを参照して、相手方情報に対応する方位角および仰角に関する放射器情報を取得する（Ｓ１１）。
【００４９】
次に、反射制御装置５０は、放射器情報に基づいて駆動機構１０を駆動させる。駆動機構１０は、放射器２０の開口を放射器情報に応じた所定の方位に動作させる（Ｓ１２）。
【００５０】
次に、反射制御装置５０は、電波シート選定部５３において、放射器情報に基づき設定情報テーブル５１を参照して、設定情報に基づき、電波反射状態となる電波シート３２を選定する（Ｓ１３）。
【００５１】
反射制御装置５０は、電源制御信号出力部５４において、電源制御信号を直流電源装置４２に出力する（Ｓ１４）。直流電源装置４２は、電源制御信号に基づき、逆バイアス電圧を選定された電波シート３２に印加する。これにより逆バイアス電圧を印加した電波シート３２は反射鏡として機能する。この状態で放射器２０から電波を放射する（Ｓ１５）。
【００５２】
＝＝他の実施形態＝＝
上記において、電波反射システム１は、一の放射器２０で構成されているように説明したがこれに限定されない。図９は、電波反射システム１が複数の放射器２０で構成される一例を示す図である。電波反射システム１は、複数の放射器２０を有していてもよい。この場合、上述したとおり、設定情報テーブル５１には複数の放射器２０のそれぞれに対応する設定情報が格納される。反射制御装置５０は、設定情報テーブル５１に格納される設定情報に基づいて、複数の放射器２０のそれぞれに対応する電波シート３２を電波反射状態とする。具体的には、図９（ｂ）に示すように、−Ｘ方向に向く放射器２０１の開口から電波を放射する場合、設定情報に基づいて、電波シート３２１を電波反射状態となるように制御し、電波シート３２３を電波透過状態となるように制御する。同様に、＋Ｘ方向に向く放射器２０３の開口から電波を放射する場合、電波シート３２３を電波反射状態となるように制御し、電波シート３２１を電波透過状態となるように制御する。この実施形態によれば、放射器２０を駆動させる駆動機構１０の駆動量を縮減できる。さらに、放射器２０を固定して使用する場合、駆動機構１０を排除できるため、高速にビーム走査の切り替えが可能となると共に、電波反射システム１の製造費用を縮減できる。
【００５３】
電波反射システム１の電波シート３２は、電波透過部材３１の内面の全面に貼設することに限定されない。例えば、予め把握している電波を放射または入射する相手方の相手方情報に基づいて、電波シート３２を、電波透過部材３１の内面または外面の所定の領域に限定して貼設してもよい。
【００５４】
電波反射システム１の電波シート３２の大きさは限定されない。つまり電波透過部材３１に貼設する電波シート３２の個数は限定されない。
【００５５】
電波反射システム１の電波シート３２は、可変容量部品３２ｃのバイアスの向きを交互に替えることで、一の可変容量部品３２ｃの制御に必要な逆バイアス電圧により、上述した一方の方向に配列されている全ての可変容量部品３２ｃを制御できる。これにより大きな電波シート３２に対して比較的低い電圧で制御できる。
【００５６】
電波反射システム１の電波シート３２は、電波透過部材３１の内面と外面にそれぞれ貼設してもよい。この場合、それぞれの電波シート３２は、内面に貼設する電波シート３２の一方の方向に設けられる導線３２ｂと、外面に貼設する電波シート３２の一方の方向に設けられる導線３２ｂとが直交するように、電波透過部材３１を介して重ねられるように設けられる。これにより全偏波を制御することができる。
【００５７】
電波反射システム１の電波シート３２は、電波透過部材３１の内部に設けられていてもよい。これにより、施工性を向上することができるとともに、電波シート３２を外部作用から保護することができるため電波反射システム１の安定的な運用が可能となる。
【００５８】
電波反射システム１の反射制御装置５０は、直流電源装置４２が電波シート３２に印加する逆バイアス電圧を制御することで、可変容量部品３２ｃのリアクタンス値を制御することにより、電波の遮蔽周波数（導線３２ｂの共振周波数）を連続的に変化させることができるものとする。
【００５９】
＝＝まとめ＝＝
本実施形態における電波反射システム１の電波反射部材３０は、電波を放射する放射器２０を取り囲む、電波を透過させる電波透過部材３１と、電波透過部材３１に設けられ、放射器２０から放射される電波を反射させる状態を電子的に制御可能な電波シート３２と、を備える。本実施形態によれば、放射器２０から放射される電波の放射方向を変更する際に、放射器２０から放射される電波を反射する反射部材を物理的に移動させることなく、所望の方向に該電波を反射させることができるため、駆動機構１０を縮小でき、迅速な電波伝搬経路の変更が可能となる。
【００６０】
また、電波反射システム１の電波透過部材３１は、放射器２０を覆う、略半球形状を呈する。本実施形態によれば、放射器２０が電波透過部材３１で外的作用から保護されるため、電波反射システム１の安定的な運用が可能となる。
【００６１】
また、電波反射システム１の電波シート３２は、電波を反射させる状態と透過させる状態とを電子的に制御可能であり、放射器２０が電波を放射する方向において電波を反射させるように制御され、放射する方向と反対側の方向において電波を透過させるように制御される。本実施形態によれば、電波を反射させる方向における電波シート３２のみ電波反射状態とするため、制御方法を簡素化し、効率的な電波伝搬が可能となる。
【００６２】
また、電波反射システム１の電波シート３２は、複数の放射器２０のそれぞれに対応するように制御される。本実施形態によれば、放射器２０を動作させる駆動機構１０の駆動量を縮減できる。
【００６３】
また、電波反射システム１の電波シート３２は、電波が反射される領域の広狭を制御される。また、反射させる領域を変えることにより、電波のビーム形状またはビーム幅を制御する。本実施形態によれば、電波のビーム幅、ビーム形状を任意に設定できるため、送信効率を向上できる。この場合、例えば、設定情報テーブル５１において、「ビーム幅」に関する情報、「ビーム形状」に関する情報が放射器ＩＤに紐づけられる。
【００６４】
また、電波反射システム１の電波シート３２は、電波透過部材３１の少なくとも一方の面に設けられる。本実施形態によれば、電波シート３２における施工が容易となるため製作コストを縮減できる。
【００６５】
また、電波反射システム１の電波シート３２は、電波透過部材３１の内面に設けられる。本実施形態によれば、電波透過部材３１により外的作用から保護されるため、電波反射システム１の安定的な運用が可能となる。
【００６６】
また、電波反射システム１は、電波反射部材３０と、放射器２０が電波を放射する方向に応じて、電波シート３２における電波を反射させる状態と透過させる状態とを制御する制御装置と、を備える。本実施形態によれば、適切、効率的に電波シート３２を制御することができる。
【００６７】
なお、述した実施の形態は本発明の理解を容易にするためのものであり、本発明を限定して解釈するためのものではない。本発明はその趣旨を逸脱することなく変更、改良され得るとともに、本発明にはその等価物も含まれる。
【符号の説明】
【００６８】
１…電波反射システム、１０…駆動機構、２０…放射器、３０…電波反射部材、３１…電波透過部材、３２…電波シート、３２ａ…基板、３２ｂ…導線、３２ｃ…可変容量部品、３２ｄ…インピーダンス部品、４０…電源系統、４１…電源線、４２…直流電源装置、５０…反射制御装置、５１…設定情報テーブル、５２…放射器情報取得部、５３…電波シート選定部、５４…電源制御信号出力部。
【図１】
2020202463.tif 000003
【図２】
2020202463.tif 000004
【図３】
2020202463.tif 000005
【図４】
2020202463.tif 000006
【図５】
2020202463.tif 000007
【図６】
2020202463.tif 000008
【図７】
2020202463.tif 000009
【図８】
2020202463.tif 000010
【図９】
2020202463.tif 000011
【図１０】
2020202463.tif 000012